(57)【要約】【課題】電動ポンプを用いることなく原料液タンク等の液タンクの液を噴霧より確実に噴霧すること。【解決手段】原料液タンク２１と連通する液出口部に原料液タンク２１の液体を含浸する吸液媒体２５を設け、吸液媒体２５に含浸された液体を、振動子５１による多孔噴霧プレート５２の振動によって多孔噴霧プレート５２の微細孔より噴霧する。液出口部には開閉弁３０を設け、オフ状態時に、液が吸液媒体２５より外部へ漏洩することを防止する。【選択図】図１
2007029771.tif 000002
【特許請求の範囲】
【請求項１】
液を蓄える液タンクと、
前記液タンクと連通する液出口部と、
前記液出口部と前記液タンクとの連通と遮断を行う開閉弁と、
多数の微細孔を有する多孔噴霧プレートと、
前記多孔噴霧プレートを振動させる振動子と、
液体を前記振動子による前記多孔噴霧プレートの振動によって噴霧を開始、停止させるスイッチ手段とを有し、
前記スイッチ手段は前記開閉弁と連結された連結手段を有する噴霧装置。
【請求項２】
前記液タンクからの液体を含浸する吸液媒体を前記液出口部側に設けられている請求項１記載の噴霧装置。
【請求項３】
前記多孔噴霧プレートは吸液媒体に接触する請求項２記載の噴霧装置。
【請求項４】
液を蓄える液タンクと、
前記液タンクと連通する液出口部に設けられ、前記液タンクよりの液体を含浸する吸液媒体と、
前記液出口部において前記液タンクと前記吸液媒体との連通と遮断を行う開閉弁と、
多数の微細孔を有し、一方の面にて前記吸液媒体に接触する多孔噴霧プレートと、
前記多孔噴霧プレートを板厚方向に振動させる振動子とを有し、
前記吸液媒体に含浸された液体を前記振動子による前記多孔噴霧プレートの振動によって当該多孔噴霧プレートの微細孔より噴霧する噴霧装置。
【請求項５】
前記スイッチ手段は、前記振動子の電源オン・オフを行う押しボタンスイッチを含み、前記開閉弁は前記押しボタンと機械的に連結されて当該押しボタンによって開閉され、前記振動子のオン動作に連動して開弁し、前記振動子のオフ動作に連動して閉弁する請求項１又は４記載の噴霧装置。
【請求項６】
前記連結手段は、一端に枢点を有する回動レバーが設けられ、当該回動レバーの他端が前記開閉弁に係合し、当該回動レバーの回動によって前記開閉弁が開閉駆動され、前記回動レバーの中間部に前記押しボタンが当接し、当該押しボタンの押釦移動によって前記回動レバーが押されるよう構成されている請求項５記載の噴霧装置。
【請求項７】
前記液出口部に前記液タンクよりの液体を電解する電解作用部が設けられている請求項１〜６の何れか１項記載の噴霧装置。
【発明の詳細な説明】
【技術分野】
【０００１】
この発明は、噴霧装置に関し、特に、化粧用、衛生用として用いられる薬剤液等の原料液を噴霧、更には原料液を電気分解して噴霧する噴霧装置に関するものである。
【背景技術】
【０００２】
化粧液や消毒液等の液体を電解して噴霧する電解液噴霧装置は、従来から様々な形態のものが知られている。このような噴霧装置は、一般に、ハウジングと、ハウジングに装着または収納され、原料液を蓄える原料液タンクと、原料液を電気分解する電解槽と、噴霧部とを有し、原料液タンクの原料液は、給液手段によって電解槽に送られ、電解槽で電気分解された後、噴霧部から人体や他の噴霧対象物に対して噴霧される。
【０００３】
従来の電解液噴霧装置の一例（例えば、特許文献１）を、図３を、参照して説明する。この電解液噴霧装置は、電解質水溶液タンク（原料液タンク）５０２と、給液手段としてのポンプ５０６と、電解槽５０８と、噴霧部５１０とを有する。
【０００４】
電解質水溶液タンク５０２に蓄えられた電解質水溶液（原料液）５０４は、電動ポンプ５０６によって電解槽５０８へ送られ、電解槽５０８によって電気分解される。電解槽５０８内の陽極側で生成される陽極電解水（酸性水）は、噴霧部５１０から外部に噴霧される。
【０００５】
電解槽５０８内の陰極側で生成された陰極電解水（アルカリ水）は、排出管５１２を通って廃液タンク５１４に送られ、廃液５１６として一時的に廃液タンク５１４内に貯留される。
【特許文献１】特開２００２‐５２０６９号公報
【発明の開示】
【発明が解決しようとする課題】
【０００６】
前述した従来の電解液噴霧装置は、電解質水溶液タンク５０２内の原料液５０４を電解槽５０８に供給する給液手段として電動ポンプ５０６を用いており、タンク５０２内の原料液５０４を電解質水溶液タンク５０２の配置位置の如何に拘らずポンプ吐出圧によって電解槽５０８に確実に供給できる。
【０００７】
しかしながら、電動ポンプ５０６を用いると、噴霧装置全体の重量、外容積が大きくなり、コストも高くなる。また、電解槽５０８や電解槽５０８の作動を制御する制御装置の他に、電動ポンプ５０６にも電力を供給する必要があり、噴霧装置全体の電力消費量が多くなる。このことは、噴霧装置は携帯型で、電源が電池の場合、特に問題になる。更に、電動ポンプ５０６の作動音（騒音）や振動が発生するという問題もある。
【０００８】
また、電動ポンプ５０６が用いられると、初回の液体注入時に電動ポンプ５０６および電動ポンプ５０６の液体通路を電解質溶液で満たすための時間が必要であるため、液体注入後に電解液を即時に噴霧できないといった問題が生じる。また、電動ポンプ５０６の液体通路は、洗浄することが困難であるため、不衛生である。更に、電動ポンプ５０６内に電解質溶液が残り、効率よく電解質溶液を使用できないといった問題もある。
【０００９】
この発明が解決しようとする課題は、化粧用、衛生用として用いられ携帯性に優れた小型の噴霧装置において、電動ポンプを用いることなく原料液タンク等の液タンクの液を噴霧より確実に噴霧することである。
【課題を解決するための手段】
【００１０】
この発明による噴霧装置は、液を蓄える液タンクと、前記液タンクと連通する液出口部と、前記液出口部と前記液タンクとの連通と遮断を行う開閉弁と、多数の微細孔を有する多孔噴霧プレートと、前記多孔噴霧プレートを板厚方向に振動させる振動子と、液体を前記振動子による前記多孔噴霧プレートの振動によって噴霧を開始、停止させるスイッチ手段とを有し、前記スイッチ手段は前記開閉弁と連結された連結手段を有する。
【００１１】
この発明による噴霧装置は、好ましくは、前記液タンクからの液体を含浸する吸液媒体を前記液出口部側に設けられている。
【００１２】
この発明による噴霧装置は、好ましくは、前記多孔噴霧プレートは吸液媒体に接触する。
【００１３】
この発明による噴霧装置は、液を蓄える液タンクと、前記液タンクと連通する液出口部に設けられ、前記液タンクよりの液体を含浸する吸液媒体と、前記液出口部において前記液タンクと前記吸液媒体との連通と遮断を行う開閉弁と、多数の微細孔を有し、一方の面にて前記吸液媒体に接触する多孔噴霧プレートと、前記多孔噴霧プレートを板厚方向に振動させる振動子とを有し、前記吸液媒体に含浸された液体を前記振動子による前記多孔噴霧プレートの振動によって当該多孔噴霧プレートの微細孔より噴霧する霧装置。
【００１４】
この発明による噴霧装置は、好ましくは、前記開閉弁は、前記振動子の電源オン・オフを行うスイッチ手段としての押しボタンスイッチの押しボタンと機械的に連結されて当該押しボタンによって開閉され、前記振動子のオン動作に連動して開弁し、前記振動子のオフ動作に連動して閉弁する。
【００１５】
この発明による噴霧装置は、好ましくは、連結手段として、一端に枢点を有する回動レバーが設けられ、当該回動レバーの他端が前記開閉弁に係合し、当該回動レバーの回動によって前記開閉弁が開閉駆動され、前記回動レバーの中間部に前記押しボタンが当接し、当該押しボタンの押釦移動によって前記回動レバーが押されるよう構成されている。
【００１６】
この発明による噴霧装置は、更に、前記液出口部に前記液タンクよりの液体を電解する電解作用部が設けられており、電解液噴霧装置として機能する。
【発明の効果】
【００１７】
この発明による噴霧装置によれば、一方の面をもって吸液媒体に接触した多孔噴霧プレートが振動子によって板厚方向に振動することにより、吸液媒体から液を吸引する吸引力（吸引圧）が吸液媒体に含浸（吸収）された液に作用し、吸液媒体に含浸されている液が多孔噴霧プレートの微細孔より前方へ噴霧される。
【００１８】
これにより、液タンク内の液を圧送する電動ポンプを設ける必要がなくなる。電動ポンプを設けなければ、その分だけ、噴霧装置全体の重量、体積、コストを減少、低減させることができ、噴霧装置全体の電力消費も少なくなる。
【００１９】
電動ポンプを省く場合には、液タンクの液が吸液媒体に円滑に導かれるよう、液タンクを吸液媒体の配置位置より高い高さ位置に配置し、圧力水頭の作用によって液タンク内の液が吸液媒体へ導かれるようにすることが好ましい。
【００２０】
液出口部において液タンクと吸液媒体との連通と遮断を行う開閉弁が設けられているから、多孔噴霧プレートが静止しているオフ状態において、開閉弁が閉弁していることにより、吸液媒体が含浸している液が吸液媒体より染み出して外部へ漏洩するような不具合を生じることがない。これにより、携帯時に、衣服やバッグ等を汚すことがない。
【発明を実施するための最良の形態】
【００２１】
本発明による噴霧装置を電解液噴霧装置として適用した一実施形態を、図１を参照して説明する。
【００２２】
電解液噴霧装置は、本体ハウジング１０と、本体ハウジング１０に着脱自在に取り付けられる給液ユニット（ハウジング）２０とを有する。
【００２３】
給液ユニット２０は原料液を蓄える原料液タンク２１を有する。原料液タンク２１の底部側の前壁部には、液出口部として、横穴状の出口通路２２が開口形成されている。出口通路２２は一端２２Ａにて原料液タンク２１の底部領域に直接連通している。
【００２４】
出口通路２２の他端、すなわち、先端２２Ｂには、裏押キャップ２３、前部キャップ２４によって吸液媒体２５が取り付けられている。
【００２５】
吸液媒体２５は、発泡ポリウレタン等の弾性を有する発泡樹脂により構成され、毛細管現象による液含浸性（液吸浸性）を有してあり、裏面１０Ａ側にて出口通路２２に連通していることにより、出口通路２２の液体を含浸（吸浸）する。
【００２６】
この液タンク、通液路構造では、吸液媒体２５の配置位置より高い高さ位置に原料液タンク２１が配置されるから、原料液タンク２１内の原料液が、タンクより、圧力水頭の作用によって液出口通路８、吸液媒体２５に円滑に導かれる。
【００２７】
出口通路２２には当該出口通路２２を上下方向に横切って延在する一対の棒状電極２６（図１では、紙面の前後に重なっているので、その一つのみが描かれている）が取り付けられている。この一対の棒状電極２６は、電極間に出口通路２２内の原料液を満たされ、これを電気分解する。棒状電極２６の電極ギャップは、０．２〜１．０ｍｍ程度に設定されていることが好ましい。
【００２８】
本体ハウジング１０内には噴霧部５０が設けられている。本体ハウジング１０の前部には噴霧部５０の前方に位置する噴霧口５５が開口している。
【００２９】
噴霧部５０は、上端部５１Ａを本体ハウジング２より支持（図示省略）されたピエゾ振動子５１と、ピエゾ振動子５１の下端部（自由端）５１Ｂに取り付けられた多孔噴霧プレート５２とを有する。
【００３０】
多孔噴霧プレート５２は、図２に示されているように、孔径が１８〜２４μｍ程度の微細孔５３を多数貫通形成され、一方の面（裏面）のうち、多数の微細孔５３を設けられている部分にて吸液媒体２５の先端面２５Ｂに軽く接触している。また、多孔噴霧プレート２５のうち、多数の微細孔５３が設けられている部分が本体ハウジング１０の噴霧口５５に位置的に対応する。
【００３１】
ピエゾ振動子５１は、交流電圧あるいはパルス電圧を印加されることにより、励振し、多孔噴霧プレート５２を板厚方向に振動させる。
【００３２】
給液ユニット２０には出口通路２２の一端２２Ａに、原料液タンク２１に対する開口端２２Ａを開閉する開閉弁３０が設けられている。開閉弁３０は、ゴム状弾性体等により構成され、正面に環状リップ部３１を形成されている。
【００３３】
開閉弁３０は、水平移動するスライド弁であり、図１に示されているように、環状リップ部３１にて出口通路２２の開口端２２Ａの周りのタンク壁による弁座面２７に着座することにより、原料液タンク２１と出口通路２２、吸液媒体２５との連通を遮断（閉弁）し、図１に示されているより図１にて右方に移動することにより、環状リップ部３１が弁座面２７より離間し、原料液タンク２１と出口通路２２、吸液媒体２５との連通を確立（開弁）する。
【００３４】
開閉弁３０は、ベローズ部３２を一体に有し、ベローズ部３２の端部３２Ａによって給液ユニット２０に気密に固定連結されている。開閉弁３０には弁駆動プランジャ３３の先端部３３Ａが気密に固定連結されている。弁駆動プランジャ３３は、ベローズ部３２内にあり、中心部に形成されたガイド孔３４が給液ユニット２０に形成されたガイド軸部２８に軸線方向（図１にて左右方向）に摺動可能に嵌合している。
【００３５】
弁駆動プランジャ３３と給液ユニット２０との間には圧縮コイルばね３５が取り付けられている。圧縮コイルばね３５は、弁駆動プランジャ３３を、図１にて左方、すなわち閉弁方向に付勢している。
【００３６】
給液ユニット２０にはピン３６によって回動レバー３７の下端３７Ａが回動可能に取り付けられている。回動レバー３７はピン３６を枢点として略左右方向に回動可能になっている。
【００３７】
回動レバー３７は、上端３７Ｂにフォーク部３８を一体に有する。フォーク部３９は、弁駆動プランジャ３３の後端部３３Ｂに形成されたフランジ部３９と係合し、回動レバー３７の図１にて時計廻り方向の回動により、弁駆動プランジャ３３を、圧縮コイルばね３５のばね力に抗して図１にて左方、すなわち開弁方向に移動させる。
【００３８】
本体ハウジング１０には電気スイッチ６１が取り付けられている。電気スイッチ６１は、オン・オフスイッチであり、図示省略の制御回路によって棒状電極２６とピエゾ振動子５１に対する電圧印加をオン・オフする。
【００３９】
電気スイッチ６１はプシュ式のアクチュエータロッド６２を有する手動式のものであり、アクチュエータロッド６２の先端に押しボタン６３が取り付けられている。
【００４０】
電気スイッチ６１は、押しボタン６３によってアクチュエータロッド６２を押し込まれると、オンし、内部に設けられているラッチ部（図示省略）のラッチ作用によってオン状態と押しボタン６３の押込移動状態を維持し、もう一度、押しボタン６３によってアクチュエータロッド６２を押し込まれると、ラッチ部のラッチ作用を解除してオフすると共に押しボタン６３の押込移動状態を解除する。
【００４１】
押しボタン６３にはプシュロッド６４が一体形成されている。プシュロッド６４は、アクチュエータロッド６２の動作方向（水平方向）と同方向に延びて本体ハウジング１０のガイド面部１１上をスライドする水平部６４Ａと、水平部６４Ａの先端に起立形成された起立部６４Ｂとを有する横転Ｌ形をなしている。
【００４２】
プシュロッド６４の起立部６４Ｂの上端には半円状の押し部６４Ｃが形成されている。回動レバー３７の中間部には突起部３７Ｃが形成されている。突起部３７Ｃはプシュロッド６４の押し部６２Ｃと正対向している。これにより、押しボタン６３が押されると、プシュロッド６４の押し部６４Ｃが回動レバー３７の突起部３７Ｃに当たり、回動レバー３７を図１にて時計廻り方向に回動させる。この回動レバー３７の時計廻り方向の回動によって弁駆動プランジャ３３が圧縮コイルばね３５のばね力に抗して図１にて右方に移動する。
【００４３】
つぎに、上述の構成による電解液噴霧装置の作用について説明する。
【００４４】
押しボタン６３が押されると、電気スイッチ６１がオン状態になると、一対の棒状電極２６に電圧が印加されると共に、ピエゾ振動子５１に交流電圧あるいはパルス電圧が印加され、ピエゾ振動子５１が励振する。これにより、多孔噴霧プレート２３が板厚方向に振動する。
【００４５】
また、また、押しボタン６３が押されると同時に、回動レバー３７がプシュロッドによって押されて図１にて時計廻り方向に回動し、弁駆動プランジャ３３が圧縮コイルばね３５のばね力に抗して図１にて右方に移動する。これにより、開閉弁３０も同方向に移動し、リップ部３１が弁座面２７より離間し、原料液タンク２１と出口通路２２、吸液媒体２５とが連通する。
【００４６】
これにより、原料液タンク２１の原料液が出口通路２２に流れ、原料液は電圧印されている棒状電極２６によって電気分解されて電解液となって吸液媒体２５に含浸される。
【００４７】
各電極に印加される電力の極性は、制御部（図不示）により所定の時間間隔で互いに切り換えられる。極性を所定時間毎に切り換えることにより、陰極側と陽極側との原料液が効率良く混合される。極性切り換え時間間隔は、２〜１２００回／分が好ましく、１２０回〜６００回／分が更に好ましい。
【００４８】
多孔噴霧プレート２３は、交流電圧あるいはパルス電圧の印加によって超音波あるいはそれに近い振動数で、板厚方向に１０μｍ程度の振幅で振動しており、一方の面が吸液媒体２５の先端面２５Ｂに接触していることにより、吸液媒体２５に振動が伝えられ、吸液媒体２５に含浸している電解液に対して吸引力（吸引圧）が作用する。
【００４９】
これにより、吸液媒体２５に含浸している電解液は、先端面２５Ｂ側への吸引作用を受け、多孔噴霧プレート５２の微細孔５３を通る際に微細液滴になり、多孔噴霧プレート５３の前方にある噴霧口５５より本体ハウジング１０の前方に拡散噴霧される。
【００５０】
上述したように、本実施形態の電解液噴霧装置は、多孔噴霧プレート５２の振動によって吸液媒体２５に含浸している電解液に対して吸引圧が作用するから、この吸引圧によって原料液タンク２１の原料液が、出口通路２２を通り、途中で、棒状電極２６によって電気分解され、電解液となって吸液媒体２５に吸浸される。
【００５１】
これにより、原料液タンク２１の原料液を、棒状電極２６による電解部、噴霧部５０に圧送する電動ポンプを設ける必要がなくなる。
【００５２】
電動ポンプを必要としないことにより、電解液噴霧装置１全体の重量、体積、コストを減少、低減させることができ、噴霧装置全体の電力消費も少なくなる。電力消費量の低減は、携帯型の電解液噴霧装置で、電源が乾電池の場合、電池交換の頻度を少なくできる。また、電動ポンプの作動音（騒音）や振動の問題も解消される。
【００５３】
また、電動ポンプによる場合には、初回の液体注入時に電動ポンプおよび電動ポンプの液体通路を電解質溶液で満たすための時間が必要であり、液体注入後に電解液を即時に噴霧できないといった問題があるが、電動ポンプを必要としないことにより、このような問題も解消される。更に、電動ポンプ内に電解質溶液が残り、効率よく電解質溶液を使用できないといった問題も解消される。
【００５４】
押しボタン６３がもう一度押されて電気スイッチ６１がオフ状態になると、一対の棒状電極２６に対する電圧印加と、ピエゾ振動子５１に対する電圧印加が停止され、多孔噴霧プレート２３が静止する。
【００５５】
このときには、電気スイッチ６１のラッチ解除によって押しボタン６３が元に位置に戻り、圧縮コイルばね３５のばね力によって弁駆動プランジャ３３が圧縮コイルばね３５のばね力に抗して図１にて左方に移動する。これにより、開閉弁３０が同方向に移動し、環状リップ部３１をもって弁座面２７に着座し、原料液タンク２１と出口通路２２、吸液媒体２５との連通が遮断される。
【００５６】
このように、多孔噴霧プレート２３が静止しているオフ状態では、開閉弁３０によって原料液タンク２１と出口通路２２、吸液媒体２５との連通が遮断されるから、原料液タンク２１内の原料液による圧力水頭が吸液媒体２５に作用しなくなり、出口通路２２の原料液タンク２１側が塞がれていることと相まって、吸液媒体２５が含浸している液が吸液媒体２５より染み出して外部へ漏洩することがない。これにより、携帯時に、衣服やバッグ等を汚すことがない。
【００５７】
また、本実施形態の押しボタン６３と弁駆動プランジャ３３との連係機構は、押しボタン６３と弁駆動プランジャ３３とをリジットに連結するものでなく、途中に回動レバー３７を含み、押しボタン６３と弁駆動プランジャ３３とが切り離されているので、押しボタン６３の水平移動と弁駆動プランジャ３３の水平移動の平行性が問題になることがなく、この双方の水平移動にこじれやかじりを生じることがない。
【００５８】
これにより、押しボタン６３による弁駆動プランジャ３３の水平移動、つまり、開閉弁３０の開閉が円滑に行われる。
【００５９】
なお、上述の実施形態では電解液噴霧装置としたが、本発明による噴霧装置は、電解液の噴霧に限られることはなく、種々の噴霧装置として適用できる。
【図面の簡単な説明】
【００６０】
【図１】本発明による噴霧装置の一実施形態に係る電解液噴霧装置の要部の縦断面図である。
【図２】本発明による噴霧装置の一実施形態に係る電解液噴霧装置の噴霧部の斜視図である。
【図３】従来の電解液噴霧装置の一例を示す図である。
【符号の説明】
【００６１】
１０  本体ハウジング
１１  ガイド面部
２０  給液ユニット
２１  原料液タンク
２２  出口通路
２３  裏押キャップ
２４  前部キャップ
２５  吸液媒体
２６  棒状電極
２７  弁座面
２８  ガイド軸部
３０  開閉弁
３１  環状リップ部
３２  ベローズ部
３３  弁駆動プランジャ
３４  ガイド孔
３５  圧縮コイルばね
３６  ピン
３７  回動レバー
３８  フォーク部
３９  フランジ部
５０  噴霧部
５１  ピエゾ振動子
５２  多孔噴霧プレート
５３  微細孔
５５  噴霧口
６１  電気スイッチ
６２  アクチュエータロッド
６３  押しボタン
６４  プシュロッド
【図１】
2007029771.tif 000003
【図２】
2007029771.tif 000004
【図３】
2007029771.tif 000005
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
液を蓄える液タンクと、
前記液タンクと連通する液出口部と、
前記液出口部と前記液タンクとの連通と遮断を行う開閉弁と、
多数の微細孔を有する多孔噴霧プレートと、
前記多孔噴霧プレートを振動させる振動子と、
制御回路によって前記振動子に対する電圧印加をオン、オフするスイッチ手段とを有し、
前記スイッチ手段は前記開閉弁と連結された連結手段を有する噴霧装置。
【請求項２】
前記液タンクからの液体を含浸する吸液媒体を前記液出口部側に設けられている請求項１記載の噴霧装置。
【請求項３】
前記多孔噴霧プレートは吸液媒体に接触する請求項２記載の噴霧装置。
【請求項４】
液を蓄える液タンクと、
前記液タンクと連通する液出口部に設けられ、前記液タンクよりの液体を含浸する吸液媒体と、
前記液出口部において前記液タンクと前記吸液媒体との連通と遮断を行う開閉弁と、
多数の微細孔を有し、一方の面にて前記吸液媒体に接触する多孔噴霧プレートと、
前記多孔噴霧プレートを板厚方向に振動させる振動子とを有し、
前記吸液媒体に含浸された液体を前記振動子による前記多孔噴霧プレートの振動によって当該多孔噴霧プレートの微細孔より噴霧する噴霧装置。
【請求項５】
前記スイッチ手段は、前記振動子の電源オン・オフを行う押しボタンスイッチを含み、前記開閉弁は前記押しボタンと機械的に連結されて当該押しボタンによって開閉され、前記振動子のオン動作に連動して開弁し、前記振動子のオフ動作に連動して閉弁する請求項１又は４記載の噴霧装置。
【請求項６】
前記連結手段は、一端に枢点を有する回動レバーが設けられ、当該回動レバーの他端が前記開閉弁に係合し、当該回動レバーの回動によって前記開閉弁が開閉駆動され、前記回動レバーの中間部に前記押しボタンが当接し、当該押しボタンの押釦移動によって前記回動レバーが押されるよう構成されている請求項５記載の噴霧装置。
【請求項７】
前記液出口部に前記液タンクよりの液体を電解する電解作用部が設けられている請求項１〜６の何れか１項記載の噴霧装置。
【手続補正２】
【補正対象書類名】明細書
【補正対象項目名】００１０
【補正方法】変更
【補正の内容】
【００１０】
この発明による噴霧装置は、液を蓄える液タンクと、前記液タンクと連通する液出口部と、前記液出口部と前記液タンクとの連通と遮断を行う開閉弁と、多数の微細孔を有する多孔噴霧プレートと、前記多孔噴霧プレートを板厚方向に振動させる振動子と、制御回路によって前記振動子に対する電圧印加をオン、オフするスイッチ手段とを有し、前記スイッチ手段は前記開閉弁と連結された連結手段を有する。